(57)【特許請求の範囲】
【請求項１】
光源を有する光源ユニットと、
点灯装置、及び前記点灯装置を収納する筐体を有し、前記筐体に前記光源ユニットが取り付けられる照明装置本体と、
電池を有し、前記筐体に着脱自在に取り付けられる電池ユニットと、
底を有する筒部、及び前記筒部の開口部の周りから前記筒部の軸と交差する外方向に突出するフランジを有し、前記筒部内に前記照明装置本体、前記電池ユニット、及び前記光源ユニットを収納する外殻と、
前記光源の光を通す窓孔を有するカバーと、
前記窓孔を覆い、前記光源からの光が透過する板状のパネルと、
前記光源の光を通す孔が設けられた平板部、及び前記平板部の周りから前記パネルに向かって前記平板部の厚さ方向に突出する環状の突出部を有し、前記筐体の一部を覆う覆い部と、
前記パネルと前記覆い部との間に配置される環状のパッキンと、
を備え、
前記点灯装置は、外部電源から供給される電力で前記電池を充電する充電回路と、前記外部電源が停電したときに前記電池から供給される電力で前記光源を点灯させる点灯回路と、を有し、
前記カバーと前記覆い部とは、前記カバーと前記覆い部との間に前記パッキンと前記パネルとを挟んだ状態で前記フランジに着脱自在に取り付けられ、
前記突出部は、前記パッキンの全周に接して前記パッキンを前記パネルに押し付けるように構成された
ことを特徴とする非常用照明装置。
【請求項２】
前記突出部は、円環状に形成され、
前記突出部には、前記突出部から径方向外向きに突出し、複数のねじと一対一に対応して前記フランジにねじ止めされる複数の係止部が設けられ、
前記複数の係止部の各々は、厚さ方向の両面及び前記突出部の周方向における一側縁が開放された溝を有するＵ字状であり、
前記溝には前記複数のねじのうち一対一に対応するねじの軸が配置され、かつ、前記複数の係止部の各々は、前記溝の深さ方向が前記周方向において同じ向きである
ことを特徴とする請求項１に記載の非常用照明装置。
【請求項３】
前記光源ユニットは、前記光源を覆って前記光源の配光を制御するレンズを更に有し、
前記レンズは、前記照明装置本体から遠ざかる方向に突出するように設けられ、
前記覆い部は、前記孔を通して前記レンズの一部を前記平板部から突出させ、
前記孔の縁部分は、前記光源に近づく方向に傾斜している
ことを特徴とする請求項１又は２に記載の非常用照明装置。
【請求項４】
前記パッキンからなる第１パッキンとは別に、環状の第２パッキンを更に備え、
前記第２パッキンは、前記カバーと前記パネルとの間に介在している
ことを特徴とする請求項１〜３の何れか１項に記載の非常用照明装置。
【発明の詳細な説明】
【技術分野】
【０００１】
本発明は、非常用照明装置に関し、特に、外部電源の停電時に電池から供給される電力で光源を点灯させる非常用照明装置に関する。
【背景技術】
【０００２】
従来、電源装置と、有底筒状の器具本体（外殻）と、非常用電源ブロックと、発光部を有する光源ブロックと、配光制御部（レンズ）と、枠体（カバー）と、を備えた非常用照明器具が知られている（例えば特許文献１参照）。特許文献１に記載の非常用照明器具の器具本体に、非常用電源ブロックと光源ブロックとが収納された状態で、器具本体の開口部分が配光制御部及び枠体で覆われている。
【０００３】
非常用電源ブロックは、複数の蓄電池（電池）を備えている。電源装置は、商用電源（外部電源）からの電力供給時に、非常用電源ブロックの蓄電池を充電する。電源装置は、商用電源の停電時に、非常用電源ブロックの蓄電池を電源として光源ブロックの発光部（光源）を点灯させる。
【先行技術文献】
【特許文献】
【０００４】
【特許文献１】特開２０１４−３２８６８号公報
【発明の概要】
【発明が解決しようとする課題】
【０００５】
蓄電池（電池）は、一般的に、経年劣化などによって電池容量が低下するので、非常用照明装置の蓄電池は、定期的に交換される。特許文献１に記載の非常用照明器具では、非常用電源ブロックを器具本体（外殻）から取り外すためには、配光制御部（レンズ）及び枠体（カバー）と、光源ブロックと、を器具本体から取り外す作業が必要である。器具本体から取り外す部材が多いほど作業の手間が増える。
【０００６】
また、湿度の高い室内又は水滴が発生する室内などで使用される非常用照明装置では、一般的に、器具本体（外殻）内に水が入らないようにするためのパッキンなどが設けられている。パッキンは、一方の部材と他方の部材との間に介在した状態で固定される必要があるため、パッキンが取り付けられた非常用照明装置の蓄電池を交換する場合、作業者は、パッキンを固定する部材を取り外す作業が増えるので蓄電池の交換作業をしにくかった。
【０００７】
本発明は上記課題に鑑みてなされ、パッキンを備えていても電池の交換作業をしやすい非常用照明装置を提供することを目的とする。
【課題を解決するための手段】
【０００８】
本発明の非常用照明装置は、光源ユニットと、照明装置本体と、電池ユニットと、外殻と、カバーと、板状のパネルと、覆い部と、環状のパッキンと、を備える。前記光源ユニットは、光源を有する。前記照明装置本体は、点灯装置、及び前記点灯装置を収納する筐体を有し、前記筐体に前記光源ユニットが取り付けられる。前記電池ユニットは、電池を有し、前記筐体に着脱自在に取り付けられる。前記外殻は、底を有する筒部、及び前記筒部の開口部の周りから前記筒部の軸と交差する外方向に突出するフランジを有し、前記筒部内に前記照明装置本体、前記電池ユニット、及び前記光源ユニットを収納する。前記カバーは、前記光源の光を通す窓孔を有する。前記パネルは、前記窓孔を覆い、前記光源からの光が透過する。前記覆い部は、前記光源の光を通す孔が設けられた平板部、及び前記平板部の周りから前記パネルに向かって前記平板部の厚さ方向に突出する環状の突出部を有し、前記筐体の一部を覆う。前記パッキンは、前記パネルと前記覆い部との間に配置される。前記点灯装置は、外部電源から供給される電力で前記電池を充電する充電回路と、前記外部電源が停電したときに前記電池から供給される電力で前記光源を点灯させる点灯回路と、を有する。前記カバーと前記覆い部とは、前記カバーと前記覆い部との間に前記パッキンと前記パネルとを挟んだ状態で前記フランジに着脱自在に取り付けられる。前記突出部は、前記パッキンの全周に接して前記パッキンを前記パネルに押し付けるように構成されたことを特徴とする。
【発明の効果】
【０００９】
本発明の非常用照明装置では、パッキンを備えていても電池の交換作業をしやすい。
【図面の簡単な説明】
【００１０】
【図１】図１は、本発明の一実施形態に係る非常用照明装置の分解斜視図である。
【図２】図２は、同上の非常用照明装置における要部の斜視図である。
【図３】図３は、同上の非常用照明装置における別の要部の断面図である。
【図４】図４は、同上の非常用照明装置における更に別の要部の下面図である。
【図５】図５は、同上の非常用照明装置の回路ブロック図である。
【発明を実施するための形態】
【００１１】
本発明の一実施形態に係る非常用照明装置１について、図１〜図５を参照して説明する。以下の実施形態で説明する構成は本発明の一例にすぎない。本発明は、以下の実施形態に限定されず、本発明に係る技術的思想を逸脱しない範囲であれば、設計などに応じて種々の変更が可能である。
【００１２】
非常用照明装置１は、天井などの造営材に埋め込まれる。非常用照明装置１は、外部電源９（図５参照）から電力が供給されている場合は光源２１を消灯させている。非常用照明装置１は、外部電源９が停電すると光源２１を点灯させる。非常用照明装置１は、外部電源９が停電した際に、規定の時間以上、光源２１を点灯させる必要がある。そのため、非常用照明装置１は、規定の時間以上、光源２１が点灯することを作業者によって定期的に確認される。この確認作業のことを「定期点検」と呼ぶ。
【００１３】
非常用照明装置１は、図１に示すように、光源ユニット２と、照明装置本体３と、電池ユニット８と、外殻１００と、カバー７と、パネル６と、第１パッキン６１１（パッキン）と、覆い部４と、を備えている。非常用照明装置１は、取付部材５と、支持部材１５と、第１枠部材６１と、第２枠部材１３と、３つの第２ねじ１６と、を更に備えている。
【００１４】
光源ユニット２は、光源２１を有する。光源ユニット２は、基板２５（図３参照）と、レンズ２３と、固定部材２４と、放熱部２２と、熱伝導シート２６（図３参照）と、を更に有する。光源２１は、例えば、ＬＥＤ（Light Emitting Diode）チップと、ＬＥＤチップを覆う封止樹脂と、で構成される。ＬＥＤチップは、例えば、青色光を放射する青色発光ダイオードである。ＬＥＤチップは、基板の表面に設けられている。基板２５は、例えば、アルミニウム合金などからなる金属板を含む金属ベースプリント基板である。基板の表面の一部は、絶縁性材料で覆われている。封止樹脂には、例えば、ＬＥＤチップから放射される青色光により励起されて黄色光を放射する蛍光物質が混入されている。そのため、光源２１の発光色は白色となる。
【００１５】
熱伝導シート２６は、例えば、シリコーン樹脂材料にシリコーン樹脂材料よりも熱伝導率の高いフィラーを含有させた材料からなる。熱伝導シート２６は、基板２５と放熱部２２のとの間に配置される。熱伝導シート２６は、基板２５を介して伝わる光源２１の熱を、放熱部２２に伝えやすくするために設けられている。
【００１６】
レンズ２３は、例えばガラスからなる。レンズ２３は、図１〜図３に示すように、光源２１の光の放射領域のうち方向Ａ１側の放射領域の配光を制御する。方向Ａ１とは、例えば下方向である。レンズ２３は、光源２１よりも方向Ａ１側に配置されている。レンズ２３は、方向Ａ１と逆方向から見て円状であって、かつ方向Ａ１に向かって突出するように形成されている。レンズ２３は、光源２１の光の放射領域が方向Ａ１に向かうにつれて方向Ａ１と交差する方向に広がるように、光源２１から放射される光の配光を制御する。これにより、光源２１は、レンズ２３の外径よりも大きい径の領域を照らすことができる。
【００１７】
放熱部２２は、例えばアルミニウム又はアルミニウム合金からなる。放熱部２２は、図１に示すように、板状の結合部２２１と、板状の側部２２２と、を有している。結合部２２１は、方向Ａ１と交差する面を有する。結合部２２１において方向Ａ１と交差する面の方向Ａ１側には、光源２１における基板とレンズ２３とが固定部材２４によって取り付けられる。固定部材２４は、図３に示すように、レンズ２３の基板２５側の縁部分を基板２５とで挟んでレンズ２３を基板２５に固定している。また、固定部材２４は結合部２２１にねじ止めされる。したがって、レンズ２３と基板２５とは、固定部材２４と結合部２２１とに挟まれて固定されている。結合部２２１は、光源２１と熱的に結合されている。側部２２２は、図１に示すように、方向Ａ１と平行する面を有する。側部２２２は、結合部２２１の縁から上方（方向Ａ１と逆方向）に突出するように結合部２２１と一体に形成されている。
【００１８】
照明装置本体３は、点灯装置３１（図５参照）、及び筐体３４を有する。照明装置本体３は、第１操作部材３３（図２及び図４参照）と、第２操作部材３６（図２及び図４参照）とを更に有する。第１操作部材３３と第２操作部材３６との各々は、作業者が定期点検を行う際に、電池ユニット８が有する電池８１（図５参照）の電力で光源２１を点灯させる場合に操作される。
【００１９】
筐体３４は、点灯装置３１を収納する。筐体３４は、方向Ａ１と交差する面を有する。筐体３４において方向Ａ１と交差する面には、光源ユニット２が配置されている。光源ユニット２における放熱部２２の結合部２２１と側部２２２とは、筐体３４に接した状態で筐体３４から露出している。
【００２０】
電池ユニット８は、電池８１を有する。電池ユニット８は、ケース８０を更に有し、ケース８０内に電池８１を収納している。電池ユニット８のケース８０は、照明装置本体３の筐体３４に着脱自在に取り付けられる。ケース８０が筐体３４に取り付けられた状態で、電池８１は照明装置本体３の点灯装置３１と電気的に接続されるように構成されている。ケース８０の詳細については後述する。
【００２１】
取付部材５は、照明装置本体３と電池ユニット８とを、外殻１００に固定するために設けられる。取付部材５は、基部５１と支持部５２と、を有する。基部５１は、方向Ａ１と交差する面を有する板状の板部５１１と、板部５１１の縁から上方（方向Ａ１と逆方向）に突出し、かつ方向Ａ１と交差する面を有する取付部５１２と、を含む。板部５１１は、照明装置本体３の筐体３４において光源ユニット２が配置された面とは反対側の面に接する。板部５１１には、照明装置本体３に向かって突出するＬ字形状の係止部が設けられている。その係止部が筐体３４に引っかかることにより、照明装置本体３は板部５１１に引っかかっている。取付部５１２は、例えば、ねじ止めなどにより、外殻１００の底板１７に固定される。支持部５２は、板状に形成されていて、方向Ａ１と平行する平面を有する。支持部５２は、取付部材５の板部５１１と一体に形成されている。支持部５２は、光源ユニット２の放熱部２２における側部２２２に接して側部２２２と熱的に結合している。したがって、光源ユニット２の放熱部２２は、取付部材５を介して外殻１００と熱的に結合されている。
【００２２】
支持部材１５は、外殻１００を天井よりも上方に配置して天井に埋め込むために設けられる。支持部材１５は、天板１５１と、２つの脚部１５２と、環状の枠１５３と、を有する。天板１５１は、板状に形成されている。天板１５１は、方向Ａ１と交差する面を有する。天板１５１は、例えば、ボルトとナットとを利用して、天井よりも上方に設けられた造営材に固定される。２つの脚部１５２は、天板１５１の両縁にそれぞれ設けられている。２つの脚部１５２は、天板１５１から方向Ａ１に沿って突出している。２つの脚部１５２の先端部分には、枠１５３が設けられている。枠１５３は、方向Ａ１と交差する面を有する円環状に形成されている。枠１５３には、カバー７を通る３つの第１ねじ１８がねじ込まれる３つの第１ねじ孔と、３つの第２ねじ１６がねじ込まれる３つの第２ねじ孔とが設けられている。
【００２３】
外殻１００は、筒部１０と、フランジ１１と、を有する。筒部１０は、軸方向が方向Ａ１に沿う円筒状に形成されている。筒部１０は、方向Ａ１側に開口部１４を有し、方向Ａ１と逆方向側に底板１７（底）を有している。外殻１００は、筒部１０内に、照明装置本体３と、電池ユニット８と、光源ユニット２と、を収納する。筒部１０の外径は、支持部材１５における枠１５３の内径よりも小さい。開口部１４の周りの筒部１０の内側には、段部１１１が形成されている。段部１１１は、筒部１０の内径を更に大きくするように筒部１０の内周面に形成されている。
【００２４】
フランジ１１は、開口部１４の周りの筒部１０の外側に設けられている。フランジ１１は、筒部１０の軸と交差する外方向に突出している。外殻１００のフランジ１１における方向Ａ１側の面には、３つの孔１２と、３つの第２ねじ１６を通すための３つの孔と、が設けられている。３つの孔１２は、カバー７を外殻１００のフランジ１１に固定するための３つの第１ねじ１８を通すために設けられている。
【００２５】
フランジ１１には、第２枠部材１３が取り付けられている。第２枠部材１３は、例えばゴムなどの弾性部材からなる。第２枠部材１３は、フランジ１１の方向Ａ１側の表面と裏面との両方の外周部分を覆っている。フランジ１１は、覆い部４が支持部材１５の枠１５３に３つの第２ねじ１６でねじ止めされた状態で、覆い部４と支持部材１５とに挟まれて枠１５３に固定される。また、フランジ１１は、カバー７が枠１５３に３つの第１ねじ１８でねじ止めされた状態で、カバー７と支持部材１５とに挟まれている。
【００２６】
３つの第２ねじ１６は、覆い部４をフランジ１１に固定するために設けられている。３つの第２ねじ１６の各々は、フランジ１１の方向Ａ１側の表面からフランジ１１を通って支持部材１５の枠１５３にねじ込まれている。
【００２７】
覆い部４は、例えばアルミニウム又はアルミニウム合金からなる。覆い部４は、図１〜図３に示すように、平板部４１と、突出部４８と、を有する。覆い部４は、複数（例えば３つ）の係止部４７と、傾斜部４２１と、を更に有する。
【００２８】
覆い部４の平板部４１は、円板状に形成されている。平板部４１は、方向Ａ１と交差する面を有する。
【００２９】
突出部４８は、平板部４１の周りからパネル６に向かって平板部４１の厚さ方向に突出している。突出部４８は、平板部４１を囲む円環状となるように設けられている。突出部４８の方向Ａ１側の表面は、平板部４１の方向Ａ１側の表面と平行する。突出部４８の径方向の幅は、第１枠部材６１の径方向の幅よりも大きい。突出部４８の外径は、筒部１０内径よりも大きく、段部１１１の内径よりも小さい。覆い部４は、突出部４８が筒部１０の段部１１１に嵌った状態で外殻１００に対して回転可能となっている。
【００３０】
３つの係止部４７は、図２に示すように、突出部４８における方向Ａ１側の表面から突出部４８の径方向外向きに突出するように設けられる。３つの係止部４７は、３つの第２ねじ１６と一対一に対応する位置に設けられている。３つの係止部４７の各々は、係止部４７の厚さ方向から見てＵ字形状に形成されている。３つの係止部４７は、覆い部４における平板部４１の表面と平行する面を有する。
【００３１】
３つの係止部４７の各々には、溝４７１が設けられている。溝４７１は、３つの係止部４７の各々における厚さ方向の両面及び突出部４８の周方向における一側縁（例えば時計回り方向側の一側縁）を開放するように設けられている。３つの係止部４７の各々は、係止部４７の厚さ方向（方向Ａ１と逆方向）から見て、Ｕ字状に形成されている。３つの係止部４７の各々は、溝４７１の深さ方向が周方向において同じ向き（例えば反時計回り方向）となっている。溝４７１の幅（突出部４８の径方向に沿う溝４７１の幅）は、第２ねじ１６の軸の外径よりも大きく、第２ねじ１６のねじ頭の外径より小さい。溝４７１には３つの第２ねじ１６のうち一対一に対応する第２ねじ１６の軸が配置される。３つの係止部４７の各々は、溝４７１内に第２ねじ１６の軸が配置された状態で、第２ねじ１６のねじ頭とフランジ１１とに挟まれることにより、平板部４１をフランジ１１に固定する。
【００３２】
覆い部４は、平板部４１が方向Ａ１に沿って照明装置本体３、光源ユニット２、平板部４１の順に一列に並ぶように外殻１００に固定される。
【００３３】
覆い部４の平板部４１の中央には第１孔４２（孔）が設けられている。平板部４１の第１孔４２は、第１孔４２の中心が光源ユニット２のレンズ２３の中心と方向Ａ１に沿って重なる位置に設けられている。第１孔４２の内径は、レンズ２３の外径よりも大きい。第１孔４２は、光源２１の光を方向Ａ１に向けて通すために設けられている。
【００３４】
覆い部４の第１孔４２の縁部分には、図３に示すように、光源ユニット２の光源２１に向かって傾斜する傾斜部４２１が形成されている。傾斜部４２１は、例えば、第１孔４２の縁部分の全周を、方向Ａ１と逆方向に張り出すテーパー形状にプレス加工して形成されている。
【００３５】
カバー７は、アルミニウム又はアルミニウム合金からなる。カバー７は、円板部７１と、円板部７１の縁全体から方向Ａ１と反対側（底板１７に近づく方向）に突出する周壁７２と、を有する。円板部７１の外径は、フランジ１１の外径よりも大きい。円板部７１の中央には、円状の窓孔７０が設けられている。窓孔７０の内径は、外殻１００の開口部１４の内径より小さい。円板部７１の外周側の部位には、３つの孔７３が設けられている。３つの孔７３は、外殻１００の３つの孔１２に一対一で対応する位置に設けられている。カバー７は、３つの第１ねじ１８が３つの孔７３と外殻１００の３つの孔１２とを通って支持部材１５の枠１５３にねじ込まれることにより、外殻１００のフランジ１１に固定される。カバー７は、フランジ１１に固定された状態で、円板部７１における方向Ａ１と反対側の裏面が第２枠部材１３の全周に接する。第２枠部材１３は、カバー７とフランジ１１との間に介在して、カバー７とフランジ１１との隙間を埋める。
【００３６】
円板部７１における方向Ａ１と反対側の裏面には、パネル６と、第１枠部材６１と、が配置される。第１枠部材６１は、例えばゴムなどの弾性を有する部材からなる。第１枠部材６１は、図３に示すように、環状の第１パッキン６１１（パッキン）と、環状の第２パッキン６１２と、側部６１３と、を有する。第１パッキン６１１と第２パッキン６１２との各々の内径は、覆い部４の平板部４１の外径と略等しい。第１パッキン６１１と第２パッキン６１２と側部６１３とは、一体に形成されている。
【００３７】
パネル６は、例えばガラスなどのように、光源２１からの光を透過する材料からなる。パネル６は、円板状に形成されている。パネル６の外径は、例えば、外殻１００における筒部１０の内径と略同じである。パネル６における方向Ａ１側の表面の外周部分は、第１枠部材６１の第２パッキン６１２で覆われている。パネル６の縁は、第１枠部材６１の側部６１３で覆われている。パネル６における方向Ａ１と反対側の裏面の外周部分は、第１枠部材６１の第１パッキン６１１で覆われている。第１枠部材６１の第１パッキン６１１と、第２パッキン６１２と、パネル６との各々の中心は、方向Ａ１と逆方向から見てカバー７の窓孔７０の中心と重なるようにカバー７の裏面に配置される。
【００３８】
ここで、覆い部４と、外殻１００と、カバー７と、第１枠部材６１と、第２枠部材１３との関係について図３を参照して説明する。
【００３９】
覆い部４の突出部４８は、外径が外殻１００の筒部１０の内径よりも大きく、かつ段部１１１の内径よりも小さいため、突出部４８が段部１１１に嵌る。突出部４８が段部１１１に嵌った状態で、突出部４８の裏面（突出部４８における方向Ａ１と反対側の面）は、段部１１１における方向Ａ１と交差する面と面接触する。そのため、外殻１００に伝わった光源２１の熱が突出部４８に伝わりやすくなっている。したがって、覆い部４は、外殻１００を介して光源２１の熱を外部に放出しやすくなっている。
【００４０】
突出部４８が段部１１１に嵌った状態で、覆い部４の係止部４７を第２ねじ１６でフランジ１１にねじ止めすることにより、覆い部４が外殻１００のフランジ１１に取り付けられる。覆い部４が外殻１００に取り付けられた状態で、覆い部４の平板部４１は、方向Ａ１と逆方向から見て、照明装置本体３における方向Ａ１側の部位を覆っている。覆い部４は、照明装置本体３における方向Ａ１側の筐体３４の一部を覆って見えにくくなるようにしている。したがって、覆い部４は、照明装置本体３を見えにくくする「化粧板」としての機能と、「放熱板」としての機能とを有する。
【００４１】
カバー７がねじ止めによってフランジ１１に取り付けられた状態で、覆い部４の突出部４８とカバー７との間に、第１枠部材６１の第１パッキン６１１とパネル６とが配置されている。突出部４８は、第１パッキン６１１の全周に接して第１パッキン６１１をパネル６に押し付けている。第１パッキン６１１は、突出部４８とパネル６との間に介在して突出部４８とパネル６との間から水などが浸入することを抑制する。第１パッキン６１１は、弾性変形した状態で突出部４８とパネル６とに挟まれることにより、覆い部４とパネル６との隙間を塞いでいる。カバー７は、第１枠部材６１の第２パッキン６１２の全周に接して第２パッキン６１２をパネル６に押し付けている。第２パッキン６１２は、パネル６とカバー７の間に介在してパネル６とカバー７との間から水などが浸入することを抑制する。第２パッキン６１２は、弾性変形した状態でカバー７とパネル６とに挟まれることにより、カバー７の窓孔７０とパネル６との隙間を塞いでいる。
【００４２】
カバー７がねじ止めによってフランジ１１に取り付けられた状態で、第２枠部材１３は、カバー７とフランジ１１の間に介在してカバー７とフランジ１１の間から水などが浸入することを抑制する。カバー７は、第２枠部材１３の全周に接して第２枠部材１３をフランジ１１に押し付けている。第２枠部材１３は、弾性変形した状態でカバー７とフランジ１１とに挟まれることにより、フランジ１１とカバー７との隙間を塞いでいる。
【００４３】
第１枠部材６１と第２枠部材１３との各々は、上記したように、２つの部材間に介在して外殻１００の外部から筒部１０内に水が入ることを抑制している。これにより、非常用照明装置１は、防水性を有する。非常用照明装置１は、例えば、水滴などが発生する室内（例えば比較的湿度の高い室内）などで使用することができる。
【００４４】
覆い部４の第１孔４２の縁部分は、傾斜部４２１によって光源ユニット２の光源２１に向かって傾斜している。第１孔４２の縁部分に傾斜部４２１が設けられていない場合と比べて、覆い部４は、レンズ２３を通って光源２１から放射された光を遮りにくくなっている。
【００４５】
ここで、電池ユニット８について説明する。電池ユニット８は、電池８１を収納したケース８０を有する。ケース８０は、例えば非導電性の樹脂材料で形成されている。ケース８０は、一例として、方向Ａ１と反対側から見て、光源ユニット２を囲むＵ字形状となるように設けられている。ケース８０は、取付部８２と、収納部８３と、接続部８４と、からなる。取付部８２は、ケース８０を、照明装置本体３の筐体３４に引っかけて取り付けるために設けられている。取付部８２は、第１操作片２４１と、第２操作片２４２とを有している。第１操作片２４１と第２操作片２４２との各々には、筐体３４に引っかかる爪部が設けられている。ケース８０が照明装置本体３の筐体３４に取り付けられた状態で、第１操作片２４１と第２操作片２４２との各々の爪部が筐体３４に引っかかることにより、ケース８０が照明装置本体３に取り付けられている。
【００４６】
取付部８２の方向Ａ１側の表面には、第１マークＭ１と、第２マークＭ２とが設けられている。第１マークＭ１は、例えば、１つの三角形状の記号からなるマークである。第２マークＭ２は、例えば、２つの三角形状の記号が一列に並べられたマークである。第１マークＭ１は、第１操作片２４１付近に設けられている。第２マークＭ２は、第２操作片２４２付近に設けられている。第１操作片２４１は、第１マークＭ１に近づく方向に移動自在に構成されている。第１操作片２４１を第１マークＭ１に近づく方向に移動させると、第１操作片２４１の爪部は筐体３４に引っかかった状態が解除される。第２操作片２４２は、第２マークＭ２に近づく方向に移動自在に構成されている。第２操作片２４２を第２マークＭ２に近づく方向に移動させると、第２操作片２４２の爪部は筐体３４に引っかかった状態が解除される。
【００４７】
収納部８３は、電池８１と、電池８１に接続された配線と、を収納している。接続部８４は、電池８１と電気的に接続された接続端子を有している。接続部８４は、ケース８０が筐体３４に取り付けられた状態で、その接続端子を筐体３４側の被接続端子に接続する。筐体３４側の被接続端子は、点灯装置３１の充電回路３１１（図５参照）と点灯回路３１２（図５参照）とに電気的に接続されている。
【００４８】
次に、非常用照明装置１の電池８１の交換作業の方法の一例について図１、図２及び図４を参照して説明する。作業者は、外殻１００のフランジ１１の孔１２を通る３つのねじを、取付部材５の枠１５３から外し、カバー７をフランジ１１から外す。第１枠部材６１及びパネル６は、カバー７と覆い部４の突出部４８とで挟まれているので、カバー７をフランジ１１から外すだけで、第１枠部材６１及びパネル６を取り外すことが可能となる。
【００４９】
作業者は、覆い部４を取り外すために、ドライバなどの治具を用いて３つの第２ねじ１６を緩める。このとき、作業者は、覆い部４の突出部４８が筒部１０の段部１１１内に嵌った状態で、突出部４８が回転可能となるまで３つの第２ねじ１６を緩めるだけでよく、３つの第２ねじ１６を取付部材５の枠１５３から外す必要はない。作業者は、方向Ａ１と反対側から見て、覆い部４を反時計回りに回して、３つの第２ねじ１６の各々の軸を、覆い部４の３つの係止部４７における溝４７１から外に出す。３つの係止部４７の各々は、第２ねじ１６のねじ頭に引っかかった状態が解除されるので、作業者は、覆い部４を方向Ａ１に移動させて突出部４８を段部１１１内から外に出すことができる。したがって、作業者は、３つの第２ねじ１６を外すことなく、覆い部４をフランジ１１から取り外すことができる。
【００５０】
覆い部４がフランジ１１から取り外されると、図４に示すように、電池ユニット８を開口部１４から露出させることができる。
【００５１】
電池ユニット８を照明装置本体３から取り外す手順について説明する。作業者は、電池ユニット８の取付部８２における第１操作片２４１を第１マークＭ１に近づける方向に移動させ、かつ取付部８２における第２操作片２４２を第２マークＭ２に近づける方向に移動させた状態で、電池ユニット８を方向Ａ１に引っ張る。取付部８２は、照明装置本体３の筐体３４に引っかかった状態が解除されているので、電池ユニット８が筐体３４から引き抜かれる。これにより、電池ユニット８の収納部８３に収納された電池８１が照明装置本体３から取り外された状態となる。
【００５２】
作業者は、電池ユニット８の収納部８３から電池８１を取り外して電池８１を交換する。作業者は、上記と逆の手順で電池ユニット８を点灯装置３１の筐体３４に取り付け、覆い部４及びカバー７を外殻１００のフランジ１１に取り付ける。作業者は、３つの第２ねじ１６を取り外していないので、覆い部４の３つの係止部４７における溝４７１に３つの第２ねじ１６の軸が配置された状態で３つの第２ねじ１６を締めこむだけで覆い部４をフランジ１１に取り付けることができる。また、覆い部４とカバー７との間にパネル６及び第１枠部材６１を挟んでカバー７をフランジ１１に取り付けることにより、第１枠部材６１が覆い部４の突出部４８とカバー７との間に介在させることができる。これにより、非常用照明装置１は防水性を有する状態になる。
【００５３】
ところで、仮に、第１枠部材６１をカバー７又は覆い部４などに押し付ける固定部材が、カバー７と電池ユニット８との間に設けられていると、その固定部材を外さなければ電池ユニット８全体を開口部１４から露出させることができない場合がある。その場合、作業者は、固定部材を取り外す作業をしなければならず、作業の手間が増える。一方、本実施形態の非常用照明装置１では、第１枠部材６１は、カバー７とパネル６と覆い部４の突出部４８とで挟まれているので、作業者は、カバー７をフランジ１１から外すだけで、第１枠部材６１及びパネル６を覆い部４から取り外すことが可能となる。作業者は、電池ユニット８全体を開口部１４から簡単に露出させることができるので、で電池８１の交換作業をしやすい。
【００５４】
ここで、第１操作部材３３と、第２操作部材３６と、筐体３４と、覆い部４との関係について説明する。筐体３４には、図４に示すように、光源ユニット２が取り付けられる面の隣に平板部３５が設けられている。平板部３５は、筐体３４における光源ユニット２が配置される面と平行する面を有する。平板部３５には、第１操作部材３３と第２操作部材３６との各々を通すための孔が設けられている。
【００５５】
第１操作部材３３と第２操作部材３６との各々は、丸棒状の部位を有する。第１操作部材３３と第２操作部材３６は、丸棒状の部位の軸方向が方向Ａ１に沿うように筐体３４に設けられている。第１操作部材と第２操作部材３６はそれぞれ、筐体３４における平板部３５から突出する。第１操作部材３３と第２操作部材３６との各々は、方向Ａ１と逆方向に押操作されると筐体３４内に向かって移動する。第１操作部材３３と第２操作部材３６との各々は、所定の移動量に達する位置まで押操作されると、後述する押釦スイッチ３１６，３１７（図５参照）をオン状態にする。第１操作部材３３と第２操作部材３６との各々は、押操作された後は元の位置に復帰するように構成される。
【００５６】
覆い部４の平板部４１には、図２に示すように、窪み部４４が設けられている。窪み部４４は、照明装置本体３に向かって窪むように形成されている。窪み部４４は、一例として、平板部４１の一部を窪ませるプレス加工などにより形成されている。窪み部４４の底４４１には、第２孔４３と、２つの第３孔４５と、第４孔４６と、が設けられている。第２孔４３と、２つの第３孔４５と、第４孔４６とは、方向Ａ１と逆方向から見て、２行２列をなすように並んでいる。２つの第３孔４５の各々は、方向Ａ１と逆方向から見て、受信部３１８（図４参照）と発光ダイオード３１５（図４参照）とを露出させるために設けられている。
【００５７】
第２孔４３は、第１操作部材３３を通して第１操作部材３３を窪み部４４の底４４１から突出させるために設けられている。第１操作部材３３は、窪み部４４の底４４１から第１操作部材３３の先端までの寸法が所定の移動量となるように構成されている。
【００５８】
第４孔４６は、方向Ａ１と逆方向から見て第２操作部材３６を露出させるために設けられている。第２操作部材３６は、誤って押操作されることを抑制するために、覆い部４の窪み部４４の底４４１から突出しない長さとなるように構成されている。第２操作部材３６は、作業者が、例えばピンなどの治具を第４孔４６に差し込むなどして押操作される。
【００５９】
窪み部の底４４１から第１操作部材３３が突出しているので、平板部４１の表面からの窪み量（平板部４１の表面と窪み部４４の底４４１の表面との間隔）だけ、第１操作部材３３の押操作時の移動量を確保できる。そのため、覆い部４に窪み部４４が設けられていない場合と比べて、第１操作部材３３の長さを平板部４１の表面からの窪み量だけ短くしても、第１操作部材３３の押操作時の移動量が所定の移動量となるようにすることができる。したがって、第１操作部材３３が窪み部４４の底４４１から突出することにより、第１操作部材３３の押操作時の所定の移動量を確保しつつ、第１操作部材３３における平板部４１の表面からの突出寸法を小さくすることができる。第１操作部材３３における平板部４１の表面からの突出寸法が小さいほど、第１操作部材３３は、光源２１から放射されてレンズ２３から出射した光を遮りにくくなる。
【００６０】
非常用照明装置１の回路構成について図５を参照して説明する。非常用照明装置１の点灯装置３１は、充電回路３１１、点灯回路３１２、を有する。点灯装置３１は、電源回路３１０、停電検出回路３１３、制御回路３１４、発光ダイオード３１５、押釦スイッチ３１６，３１７、受信部３１８を更に有する。
【００６１】
電源回路３１０は、例えば、リンギングチョークコンバータなどの自励型のスイッチング電源回路で構成される。電源回路３１０は、外部電源９（例えば、商用の電力系統に接続されている電源）から供給される交流電圧を直流電圧に変換して、充電回路３１１と、制御回路３１４と、に電力を供給する。
【００６２】
充電回路３１１は、電源回路３１０から受けた電力で電池ユニット８の電池８１を充電する。充電回路３１１と電池８１とは、発光ダイオード３１５を含む電路で電気的に接続されている。発光ダイオード３１５のアノードは充電回路３１１に接続されている。発光ダイオード３１５のカソードは電池８１に接続されている。発光ダイオード３１５は、充電回路３１１が電池８１に充電のための電流を供給している場合に点灯する。
【００６３】
点灯回路３１２は、電池８１から供給される電力で動作する。点灯回路３１２は、制御回路３１４の制御に応じて、所定の電流を電池８１から光源ユニット２に供給する。停電検出回路３１３は、電源回路３１０の出力電圧に基づいて外部電源９の停電を検出する。停電検出回路３１３は、外部電源９の停電を検出すると、制御回路３１４に通知信号を出力する。
【００６４】
受信部３１８は、例えば赤外線を媒体とする無線信号を受信するように構成される。受信部３１８は、受信した無線信号に含まれる情報を制御回路３１４に出力する。無線信号は、例えば、作業者が操作するワイヤレス送信器から送信される。
【００６５】
制御回路３１４は、充電回路３１１及び点灯回路３１２をそれぞれ制御する。制御回路３１４は、停電検出回路３１３が通知信号を出力した場合、及び受信部３１８が無線信号に含まれる情報を出力した場合に、充電回路３１１と点灯回路３１２との制御内容を変える。また、制御回路３１４は、押釦スイッチ３１６，３１７がオフ状態からオン状態になった場合にも、充電回路３１１と点灯回路３１２との制御内容を変える。
【００６６】
制御回路３１４の動作について説明する。制御回路３１４は、停電検出回路３１３が停電を検出した場合、充電回路３１１を停止させ、かつ、点灯回路３１２を動作させる。制御回路３１４は、停電検出回路３１３が停電を検出していない場合、充電回路３１１を動作させて電池８１を充電させ、かつ、点灯回路３１２を停止させる。
【００６７】
ここで、作業者が定期点検を行う場合の制御回路３１４の動作について説明する。定期点検では、作業者は、点灯回路３１２を強制的に動作させて、電池８１の電力で光源２１が規定の時間以上、点灯し続けることを確認する。
【００６８】
作業者は、ピンなどの治具を、覆い部４の第４孔４６（図２参照）に差し込むなどして、第２操作部材３６を所定の移動量に達する位置まで筐体３４（図１参照）に向けて押し込み、押釦スイッチ３１７をオン状態にする。制御回路３１４は、押釦スイッチ３１７がオン状態になった場合、充電回路３１１を停止させ、かつ点灯回路３１２を動作させる。作業者は、点灯回路３１２を強制的に動作させる別の方法として、ワイヤレス送信器を操作して、定期点検の実施を通知する情報を含む無線信号をワイヤレス送信器から受信部３１８に送信してもよい。制御回路３１４は、受信部３１８から定期点検の実施を通知する情報を取得すると、充電回路３１１を停止させ、かつ点灯回路３１２を動作させる。
【００６９】
また、作業者は、第１操作部材３３を押操作することにより、光源２１が電池８１の電力で点灯するか否かを簡単に確認することもできる。作業者は、指先又はピンなどの治具で、第１操作部材３３を所定の移動量に達する位置まで筐体３４に向けて押し込んで、押釦スイッチ３１６をオン状態にする。制御回路３１４は、押釦スイッチ３１６がオン状態になった場合は、点灯回路３１２を数秒間動作させた後、再度、点灯回路３１２を停止させ、かつ、充電回路３１１を動作させる。これにより、作業者は、点灯回路３１２が電池８１の電力で光源２１を点灯させるように動作することを確認できる。
【００７０】
以上説明したように、本実施形態の非常用照明装置１は、光源ユニット２と、照明装置本体３と、電池ユニット８と、外殻１００と、カバー７と、板状のパネル６と、覆い部４と、環状の第１パッキン６１１（パッキン）と、を備える。光源ユニット２は、光源２１を有する。照明装置本体３は、点灯装置３１、及び点灯装置３１を収納する筐体３４を有し、筐体３４に光源ユニット２が取り付けられる。電池ユニット８は、電池８１を有し、筐体３４に着脱自在に取り付けられる。外殻１００は、底板１７（底）を有する筒部１０、及び筒部１０の開口部１４の周りから筒部１０の軸と交差する外方向に突出するフランジ１１を有し、筒部１０内に照明装置本体３、電池ユニット８、及び光源ユニット２を収納する。カバー７は、光源２１の光を通す窓孔７０を有する。パネル６は、窓孔７０を覆い、光源２１からの光が透過する。覆い部４は、光源２１の光を通す第１孔４２（孔）が設けられた平板部４１、及び平板部４１の周りからパネル６に向かって平板部４１の厚さ方向に突出する環状の突出部４８を有し、筐体３４の一部を覆う。第１パッキン６１１（パッキン）は、パネル６と覆い部４との間に配置される。点灯装置３１は、外部電源９から供給される電力で電池８１を充電する充電回路３１１と、外部電源９が停電したときに電池８１から供給される電力で光源２１を点灯させる点灯回路３１２と、を有する。カバー７と覆い部４とは、カバー７と覆い部４との間に第１パッキン６１１（パッキン）とパネル６とを挟んだ状態でフランジ１１に着脱自在に取り付けられる。突出部４８は、第１パッキン６１１（パッキン）の全周に接して第１パッキン６１１（パッキン）をパネル６に押し付ける。
【００７１】
上記構成によれば、覆い部４の突出部４８とカバー７との間に、第１パッキン６１１（パッキン）とパネル６とが配置されている。突出部４８は、第１枠部材６１の第１パッキン６１１の全周に接して第１パッキン６１１をパネル６に押し付けることにより、第１パッキン６１１で覆い部４とパネル６との隙間を塞ぐことができる。そのため、非常用照明装置１では、外殻１００の外部から筒部１０内に水が入りにくくなっている。また、非常用照明装置１では、フランジ１１に着脱自在に取り付けられるカバー７と覆い部４とが、第１パッキン６１１（パッキン）とパネル６とを挟むので、第１パッキン６１１をパネル６に押し付けるための部材を別部材として設けなくてもよい。そのため、非常用照明装置１では、カバー７と覆い部４とがフランジ１１から取り外されるだけで、電池ユニット８を外殻１００の開口部１４から露出させることができるので、電池ユニット８を照明装置本体３の筐体３４から取り外しやすい。また、電池８１を交換した後に、カバー７と覆い部４とは、カバー７と覆い部４との間に第１パッキン６１１とパネル６とを挟んだ状態でフランジ１１に取り付けられる。覆い部４とカバー７とがフランジ１１に取り付けられると、覆い部４の突出部４８が第１パッキン６１１をパネル６に押し付けるため、非常用照明装置１は、防水性を有する状態になる。したがって、非常用照明装置１では、第１パッキン６１１（パッキン）を備えていても電池８１の交換作業をしやすくなっている。
【００７２】
非常用照明装置１において、突出部４８は、円環状に形成され、以下のように構成されたことが好ましい。突出部４８には、突出部４８から径方向外向きに突出し、複数（３つ）の第２ねじ１６と一対一に対応してフランジ１１にねじ止めされる複数（３つ）の係止部４７が設けられている。複数（３つ）の係止部４７の各々は、厚さ方向の両面及び突出部４８の周方向における一側縁が開放された溝４７１を有するＵ字状である。溝４７１には複数（３つ）の第２ねじ１６（ねじ）のうち一対一に対応する第２ねじ１６の軸が配置され、かつ、複数（３つ）の係止部４７の各々は、溝４７１の深さ方向が周方向において同じ向き（例えば反時計回り方向）であることが好ましい。上記構成によれば、第２ねじ１６が緩められた状態で、覆い部４を回転させて、複数（３つ）の係止部４７の各々におけるＵ字の溝４７１と第２ねじ１６の軸との位置関係を変えることができる。例えば、３つの係止部４７における各々の溝４７１内に第２ねじ１６の軸が配置されている状態で、作業者は、３つの係止部４７が３つの第２ねじ１６から遠ざかる方向（例えば反時計回り方向）に覆い部４を回転させることで、係止部４７を第２ねじ１６から外すことができる。作業者は、覆い部４をフランジ１１から取り外す際に、第２ねじ１６を緩めるだけで第２ねじ１６を外殻１００のフランジ１１から取り外さなくても、覆い部４を回転させてフランジ１１から取り外せるので、電池８１の交換作業の手間を軽減できる。
【００７３】
非常用照明装置１において、光源ユニット２は、光源２１を覆って光源２１の配光を制御するレンズ２３を更に有し、以下のように構成されていることが好ましい。レンズ２３は、照明装置本体３から遠ざかる方向に突出するように設けられる。覆い部４は、第１孔４２（孔）を通してレンズ２３の一部を平板部４１から突出させる。第１孔４２（孔）の縁部分（傾斜部４２１）は、光源２１に近づく方向に傾斜している。これにより、覆い部４における第１孔４２（孔）の縁部分は、レンズ２３を通って光源２１から放射された光を遮りにくくなっている。
【００７４】
非常用照明装置１は、パッキンからなる第１パッキン６１１とは別に、環状の第２パッキン６１２を更に備え、第２パッキン６１２は、カバー７とパネル６との間に介在していることが好ましい。これにより、第２パッキン６１２は、カバー７とパネル６とに接してカバー７とパネル６との隙間から外殻１００内に水が入ることを抑制している。
【００７５】
ところで、本実施形態における非常用照明装置１では、第１枠部材６１が取り付けられた状態のパネル６がカバー７から外れないように保持する保持部材がカバー７の裏面に取り付けられている。保持部材は、例えば、パネル６の位置ずれを抑制する板片と、その板片をカバー７に固定するねじからなる。保持部材は、フランジ１１から取り外されたカバー７を作業者がひっくり返すなどしても、パネル６がカバー７から外れないので、作業者は、パネル６とカバー７とを外殻１００のフランジ１１から取り外して移動させやすいので、作業しやすい。また、電池８１の交換作業をする際に、作業者がカバー７を外殻１００のフランジ１１から取り外すだけで、パネル６も一緒に取り外すことができるので、作業性が向上する。なお、この保持部材は必須の構成ではなく、省略可能である。
【００７６】
覆い部４の第１孔４２の縁部分に設けられた傾斜部４２１は、平板部４１をテーパー形状にプレス加工することに限定されず、覆い部４の平板部４１の厚さが第１孔４２の中心に近づくにつれて薄くなるように形成されていてもよい。
【００７７】
覆い部４の平板部４１は円板状に限定されず、板状であればよい。また、覆い部４の突出部４８は、円環状に限定されず、平板部４１の周りから突出して第１枠部材６１における第１パッキン６１１の全周に接することができる環状であればよい。
【００７８】
非常用照明装置１の覆い部４における窪み部４４は、省略可能である。また、覆い部４の平板部４１には、少なくとも第１操作部材３３を通すための第２孔４３が設けられていればよく、２つの第３孔４５と、第４孔４６と、受信部３１８と、発光ダイオード３１５と、第２操作部材３６と、は省略可能である。
【００７９】
第１枠部材６１と第２枠部材１３とは、２つの部材の間から水が浸入することを抑制することに限定されず、例えば、湿気が２つの部材の間から浸入することを抑制する防湿部材であってもよい。また、第１枠部材６１と第２枠部材１３とは、埃などが２つの部材の間から浸入することを抑制する防塵部材であってもよい。
【００８０】
非常用照明装置１は、天井に埋め込まれる埋込型に限定されず、天井に直付けされる直付け型であってもよい。また、非常用照明装置１は、湿度の高い室内の他にも、例えばクリーンルームなどでも使用される。
【００８１】
本実施形態における非常用照明装置１では、方向Ａ１を下方向として説明したが、方向Ａ１は下方向に限定されず、任意の向きであってもよい。
【符号の説明】
【００８２】
１  非常用照明装置
２  光源ユニット
２１  光源
２３  レンズ
３  照明装置本体
３１  点灯装置
３４  筐体
３１１  充電回路
３１２  点灯回路
４  覆い部
４１  平板部
４２  第１孔（孔）
４７  係止部
４７１  溝
４８  突出部
６  パネル
６１１  第１パッキン（パッキン）
６１２  第２パッキン
７  カバー
７０  窓孔
８  電池ユニット
８１  電池
９  外部電源
１０  筒部
１１  フランジ
１４  開口部
１５  支持部材
１６  第２ねじ（ねじ）
１７  底板（底）
１００  外殻
【図１】
0006675095.tif 000002
【図２】
0006675095.tif 000003
【図３】
0006675095.tif 000004
【図４】
0006675095.tif 000005
【図５】
0006675095.tif 000006